(57)【特許請求の範囲】
【請求項１】
屈折力を有する３枚のレンズからなる撮像レンズであって、前記撮像レンズは、物体側から像側まで、順に、正屈折力を有し、物体側面及び像側面がいずれも非球面である第１のレンズ、絞り、正屈折力を有し、物体側面及び像側面はいずれも非球面である第２のレンズ、及び、負屈折力を有し、物体側面及び像側面はいずれも非球面である第３のレンズからなり、以下の条件式
０．７１≦ｆ／ｆ１＜１．０                                            （１）
−１．６＜（Ｒ１＋Ｒ２）／（Ｒ１−Ｒ２）＜−１．２                    （２）
０．１５＜ｄ１／ｆ＜０．２                                            （３）
−１．５＜ｆ／ｆ３＜−１                                              （４）
１．３＜（Ｒ５＋Ｒ６）／（Ｒ５−Ｒ６）＜２．１                        （５）
但し、
ｆは撮像レンズの焦点距離であり、
ｆ１は第１のレンズの焦点距離であり、
Ｒ１は第１のレンズの物体側面の曲率半径であり、
Ｒ２は第１のレンズの像側面の曲率半径であり、
ｄ１は第１のレンズの中心厚みであり、
ｆ３は第３のレンズの焦点距離であり、
Ｒ５は第３のレンズの物体側面の曲率半径であり、
Ｒ６は第３のレンズの像側面の曲率半径である
ことを特徴とする撮像レンズ。
【請求項２】
前記撮像レンズにおいて、前記第１レンズの物体側面は凸面であり、像側面は凹面であることを特徴とする請求項１に記載の撮像レンズ。
【請求項３】
前記撮像レンズは、さらに以下の（６）、（７）の条件式
１．０＜ｆ／ｆ２＜２．０                                        （６）
２．２＜（Ｒ３＋Ｒ４）／（Ｒ３−Ｒ４）＜２．８                  （７）
但し、
ｆは撮像レンズ全体の焦点距離であり、
ｆ２は第２レンズの焦点距離であり、
Ｒ３は第２レンズ物体側面の曲率半径であり、
Ｒ４は第２レンズ像側面の曲率半径である
を満たしていることを特徴とする請求項２に記載の撮像レンズ。
【請求項４】
前記撮像レンズは、さらに以下の（８）、（９）の条件式
０．２＜ｄ３／ｆ＜０．５                                        （８）
１．５＜ｄ３／ｄ５＜３．５                                      （９）
但し、
ｆは撮像レンズ全体の焦点距離であり、
ｄ３は第２レンズの中心厚みであり、
ｄ５は第３のレンズの中心厚みである
を満たしていることを特徴とする請求項３に記載の撮像レンズ。
【請求項５】
前記撮像レンズにおいて、前記第３レンズはプラスチック材質であり、且つ、少なくとも一つの変曲点が設けられていることを特徴とする請求項４に記載の撮像レンズ。
【請求項６】
前記撮像レンズは、さらに以下の（１０）、（１１）の条件式
１０＜ｄ２／ｄ４＜２０                                          （１０）
２．５＜Ｒ２／ｆ＜４．０                                        （１１）
但し、
ｄ２は第１レンズの像側面から第２レンズの物体側面までの間の軸上距離であり、
ｄ４は第２レンズの像側面から第３レンズの物体側面までの間の軸上距離であり、
Ｒ２は第１レンズ像側面の曲率半径であり、
ｆは撮像レンズ全体の焦点距離である
を満たしていることを特徴とする請求項５に記載の撮像レンズ。
【請求項７】
前記撮像レンズは、さらに以下（１２）の条件式
１．０＜ν１／ν２＜１．２                                      （１２）
但し、
ν１は第１レンズのアッベ数であり、
ν２は第２レンズのアッベ数である
を満たしていることを特徴とする請求項６に記載の撮像レンズ。
【発明の詳細な説明】
【技術分野】
【０００１】
本発明は撮像レンズ、特に、高画素ＣＣＤ、ＣＭＯＳなどの撮像素子を用いた小型撮像装置、光センサ装置、携帯電話のカメラモジュール、ＷＥＢカメラなどに好適な撮像レンズに関する。
【背景技術】
【０００２】
近年、ＣＣＤやＣＭＯＳなどの撮像素子を用いた各種の撮像装置が広く普及している。撮像素子の小型化や高性能化の発展及び需要量の増加に伴い、優れた光学特性を有し、撮像素子の横偏や傾斜に対する敏感さの度合い（以下、「感度」とする）が低い撮像レンズが広く求められている。優れた光学特性を有し、極めて薄い３枚のレンズにより構成された撮像レンズに関する技術開発が進められている。従来、例えば、正のパワーを有する第１レンズ、負のパワーを有する第２レンズ及び正のパワーを有する第３レンズにより構成された、３枚構成の撮像レンズなど、各種の撮像レンズが公開されている。このような構成は、これらの光学システムが生じる大部分の収差を補正することができるが、その生産工程に対する制度要求が高く、製造コストも高い。従って、このような問題を解決するために、新しい構成の撮像レンズを提供することが必要である。
【発明の概要】
【０００３】
本発明が解決しようとする技術課題は、３枚のレンズで構成され、撮像素子の横方向の偏り及び傾斜に対して感度が低い撮像レンズを提供することである。
【０００４】
上記課題を解決するため、本発明に係る撮像レンズは、屈折力を有する３枚のレンズからなる撮像レンズであって、前記撮像レンズは、物体側から像側まで、順に、正屈折力を有し、物体側面及び像側面がいずれも非球面である第１のレンズ、絞り、正屈折力を有し、物体側面及び像側面はいずれも非球面である第２のレンズ、及び、負屈折力を有し、物体側面及び像側面はいずれも非球面である第３のレンズからなり、且つ、以下の（１）〜（５）の条件式を満足することを特徴とする。
０．７１≦ｆ／ｆ１＜１．０                                            （１）
−１．６＜（Ｒ１＋Ｒ２）／（Ｒ１−Ｒ２）＜−１．２                    （２）
０．１５＜ｄ１／ｆ＜０．２                                            （３）
−１．５＜ｆ／ｆ３＜−１                                              （４）
１．３＜（Ｒ５＋Ｒ６）／（Ｒ５−Ｒ６）＜２．１                        （５）
但し、
ｆは撮像レンズの焦点距離であり、
ｆ１は第１のレンズの焦点距離であり、
Ｒ１は第１のレンズの物体側面の曲率半径であり、
Ｒ２は第１のレンズの像側面の曲率半径であり、
ｄ１は第１のレンズの中心厚みであり、
ｆ３は第３のレンズの焦点距離であり、
Ｒ５は第３のレンズの物体側面の曲率半径であり、
Ｒ６は第３のレンズの像側面の曲率半径である。
【０００５】
また、前記撮像レンズにおいて、前記第１レンズの物体側面は凸面であり、像側面は凹面であることが好ましい。
【０００６】
また、前記撮像レンズは、さらに以下の（６）、（７）の条件式を満たしていることが好ましい。
１．０＜ｆ／ｆ２＜２．０                                        （６）
２．２＜（Ｒ３＋Ｒ４）／（Ｒ３−Ｒ４）＜２．８                  （７）
但し、
ｆは撮像レンズ全体の焦点距離であり、
ｆ２は第２レンズの焦点距離であり、
Ｒ３は第２レンズ物体側面の曲率半径であり、
Ｒ４は第２レンズ像側面の曲率半径である。
【０００７】
また、前記撮像レンズは、さらに以下の（８）、（９）の条件式を満たしていることが好ましい。
０．２＜ｄ３／ｆ＜０．５                                        （８）
１．５＜ｄ３／ｄ５＜３．５                                      （９）
但し、
ｆは撮像レンズ全体の焦点距離であり、
ｄ３は第２レンズの中心厚みであり、
ｄ５は第３のレンズの中心厚みである。
【０００８】
また、前記撮像レンズにおいて、前記第３レンズはプラスチック材質であり、且つ、少なくとも一つの変曲点が設けられていることが好ましい。
【０００９】
また、前記撮像レンズは、さらに以下の（１０）、（１１）の条件式を満たしていることが好ましい。
１０＜ｄ２／ｄ４＜２０                                          （１０）
２．５＜Ｒ２／ｆ＜４．０                                        （１１）
但し、
ｄ２は第１レンズの像側面から第２レンズの物体側面までの間の軸上距離であり、
ｄ４は第２レンズの像側面から第３レンズの物体側面までの間の軸上距離であり、
Ｒ２は第１レンズ像側面の曲率半径であり、
ｆは撮像レンズ全体の焦点距離である。
【００１０】
また、前記撮像レンズは、さらに以下（１２）の条件式を満たしていることが好ましい。
１．０＜ν１／ν２＜１．２                                      （１２）
但し、
ν１は第１レンズのアッベ数であり、
ν２は第２レンズのアッベ数である。
【発明の効果】
【００１１】
本発明に係る撮像レンズによれば、撮像素子の横方向の偏り及び傾斜に対して感度が低いので、特に、高画素のＣＣＤ、ＣＭＯＳなどの撮像素子により構成された携帯電話のカメラモジュール及びＷＥＢカメラに適用することができる。
【図面の簡単な説明】
【００１２】
【図１】本発明の第１実施形態に係る撮像レンズの構成図。
【図２】図１に示された撮像レンズのＭＴＦ図。
【図３】図１に示された撮像レンズの予測される製造歩留まりを示す図。
【図４】図１に示された撮像レンズの球面収差（軸上色収差）を示す図。
【図５】図１に示された撮像レンズの倍率色収差を示す図。
【図６】図１に示された撮像レンズの像面湾曲及び歪みを示す図。
【図７】本発明の第２実施形態に係る撮像レンズの構成図。
【図８】図７に示された撮像レンズのＭＴＦ図。
【図９】図７に示された撮像レンズの予測される製造歩留まりを示す図。
【図１０】図７に示された撮像レンズの球面収差（軸上色収差）を示す図。
【図１１】図７に示された撮像レンズの倍率色収差を示す図。
【図１２】図７に示された撮像レンズの像面湾曲及び歪みを示す図。
【図１３】本発明の第３実施形態に係る撮像レンズの構成図。
【図１４】図１３に示された撮像レンズのＭＴＦ図。
【図１５】図１３に示された撮像レンズの予測される製造歩留まりを示す図。
【図１６】図１３に示された撮像レンズの球面収差（軸上色収差）を示す図。
【図１７】図１３に示された撮像レンズの倍率色収差を示す図。
【図１８】図１３に示された撮像レンズの像面湾曲及び歪みを示す図。
【図１９】本発明の第４実施形態に係る撮像レンズの構成図。
【図２０】図１９に示された撮像レンズのＭＴＦ図。
【図２１】図１９に示された撮像レンズの予測される製造歩留まりを示す図。
【図２２】図１９に示された撮像レンズの球面収差（軸上色収差）を示す図。
【図２３】図１９に示された撮像レンズの倍率色収差を示す図。
【図２４】図１９に示された撮像レンズの像面湾曲及び歪みを示す図。
【図２５】本発明の第５実施形態に係る撮像レンズの構成図。
【図２６】図２５に示された撮像レンズのＭＴＦ図。
【図２７】図２５に示された撮像レンズの予測される製造歩留まりを示す図。
【図２８】図２５に示された撮像レンズの球面収差（軸上色収差）を示す図。
【図２９】図２５に示された撮像レンズの倍率色収差を示す図。
【図３０】図２５に示された撮像レンズの像面湾曲及び歪みを示す図。
【図３１】本発明の第６実施形態に係る撮像レンズの構成図。
【図３２】図３１に示された撮像レンズのＭＴＦ図。
【図３３】図３１に示された撮像レンズの予測される製造歩留まりを示す図。
【図３４】図３１に示された撮像レンズの球面収差（軸上色収差）を示す図。
【図３５】図３１に示された撮像レンズの倍率色収差を示す図。
【図３６】図３１に示された撮像レンズの像面湾曲及び歪みを示す図。
【図３７】本発明の第７実施形態に係る撮像レンズの構成図。
【図３８】図３７に示された撮像レンズのＭＴＦ図。
【図３９】図３７に示された撮像レンズの予測される製造歩留まりを示す図。
【図４０】図３７に示された撮像レンズの球面収差（軸上色収差）を示す図。
【図４１】図３７に示された撮像レンズの倍率色収差を示す図。
【図４２】図３７に示された撮像レンズの像面湾曲及び歪みを示す図。
【図４３】本発明の第８実施形態に係る撮像レンズの構成図。
【図４４】図４３に示された撮像レンズのＭＴＦ図。
【図４５】図４３に示された撮像レンズの予測される製造歩留まりを示す図。
【図４６】図４３に示された撮像レンズの球面収差（軸上色収差）を示す図。
【図４７】図４３に示された撮像レンズの倍率色収差を示す図。
【図４８】図４３に示された撮像レンズの像面湾曲及び歪みを示す図。
【図４９】本発明の第９実施形態に係る撮像レンズの構成図。
【図５０】図４９に示された撮像レンズのＭＴＦ図。
【図５１】図４９に示された撮像レンズの予測される製造歩留まりを示す図。
【図５２】図４９に示された撮像レンズの球面収差（軸上色収差）を示す図。
【図５３】図４９に示された撮像レンズの倍率色収差を示す図。
【図５４】図４９に示された撮像レンズの像面湾曲及び歪みを示す図。
【図５５】本発明の第１０実施形態に係る撮像レンズの構成図。
【図５６】図５５に示された撮像レンズのＭＴＦ図。
【図５７】図５５に示された撮像レンズの予測される製造歩留まりを示す図。
【図５８】図５５に示された撮像レンズの球面収差（軸上色収差）を示す図。
【図５９】図５５に示された撮像レンズの倍率色収差を示す図。
【図６０】図５５に示された撮像レンズの像面湾曲及び歪みを示す図。
【図６１】本発明の第１１実施形態に係る撮像レンズの構成図。
【図６２】図６１に示された撮像レンズのＭＴＦ図。
【図６３】図６１に示された撮像レンズの予測される製造歩留まりを示す図。
【図６４】図６１に示された撮像レンズの球面収差（軸上色収差）を示す図。
【図６５】図６１に示された撮像レンズの倍率色収差を示す図。
【図６６】図６１に示された撮像レンズの像面湾曲及び歪みを示す図。
【発明を実施するための形態】
【００１３】
（第１実施形態）
以下、図面を参照しつつ、本発明の第１実施形態に係る撮像レンズについて説明する。図１は、第１実施形態に係る撮像レンズの構成を示す。撮像レンズＬＡは、物体側から像側まで、第１レンズＬ１、絞りＳ１、第２レンズＬ２及び第３レンズＬ３の順に配置されている。また、第３レンズＬ３と像面との間にガラス平板ＧＦが配置されていてもよい。ガラス平板ＧＦは、赤外線吸収のフィルタ機能を有することができる。
【００１４】
第１レンズＬ１は正屈折力を有し、且つ、その物体側面は凸面であり、像側面は凹面である。第２レンズＬ２は正屈折力を有し、且つ、その物体側面は凹面であり、像側面は凸面である。第３レンズＬ３は負屈折力を有し、且つ、その物体側面は凸面であり、像側面は凹面である。収差をより良く補正するために、第１、第２及び第３レンズの表面はいずれも非球面である。
【００１５】
撮像レンズＬＡは、以下の条件式（１）〜（５）を満たしている。
０．６＜ｆ／ｆ１＜１．０                                        （１）
−１．６＜（Ｒ１＋Ｒ２）／（Ｒ１−Ｒ２）＜−１．２              （２）
０．１５＜ｄ１／ｆ＜０．２                                      （３）
−１．５＜ｆ／ｆ３＜−１                                        （４）
１．３＜（Ｒ５＋Ｒ６）／（Ｒ５−Ｒ６）＜２．１                  （５）
ここで、
ｆは撮像レンズの焦点距離であり、
ｆ１は第１レンズＬ１の焦点距離であり、
Ｒ１は第１レンズＬ１の物体側面の曲率半径であり、  
Ｒ２は第１レンズＬ１の像側面の曲率半径であり、  
ｄ１は第１レンズＬ１の中心厚みであり、  
ｆ３は第３レンズＬ３の焦点距離であり、
Ｒ５は第３レンズＬ３物体側面の曲率半径であり、  
Ｒ６は第３レンズＬ３像側面の曲率半径である。
【００１６】
条件式（１）は第１レンズＬ１の正屈折力を規定している。条件式（１）の下限規定を超えるときは、第１レンズＬ１の正屈折力が弱くなりすぎ、撮像レンズの極薄化の進展は難しくなる。それに対して、条件式（１）の上限規定を超えるときは、第１レンズＬ１の正屈折力が強くなりすぎ、収差などの補正が難しくなると共に、撮像レンズの広角化への進展に不利である。
条件式（２）は、第１レンズＬ１の形状を規定している。条件式（２）の範囲外では、撮像レンズの広角化及び極薄化への進展に伴い、球面収差などの高次収差の補正に対して、より不利である。
条件式（３）は第１レンズＬ１の中心厚みと撮像レンズの焦点距離との比を規定している。条件式（３）の範囲外では、撮像レンズの広角化及び極薄化に不利である。
条件式（４）は第３レンズＬ３の負屈折力を規定している。下限を超えるときは、第３レンズＬ３の負屈折力は強くなりすぎ、高次収差及び第３レンズＬ３の軸上偏芯などによる像面変動が大きくなり、撮像レンズの感度が高くなる。それに対して、上限を超えるときは、第３レンズＬ３の負屈折力が弱くなりすぎ、レンズの極薄化への進展に不利である。
条件式（５）は第３レンズＬ３の形状を規定している。条件式（５）の範囲外では、撮像レンズの広角および極薄化への進展に伴い、収差の補正に対して、より不利であると共に、高次収差及び第３レンズＬ３の軸上偏芯などによる像面変動がより大きくなり、撮像レンズの感度が高くなる。
【００１７】
本発明の撮像レンズＬＡにおいて、第１レンズＬ１の物体側面は凸面であり、それにより、撮像レンズの全長の短縮に役立ち、且つ、第１レンズＬ１の像側面が凹面であるときに、撮像レンズの非点収差をさらに補正することができ、その撮像品質を向上することができる。
【００１８】
撮像レンズＬＡは、さらに以下の条件式（６）〜（７）を満たしていることが好ましい。
１．０＜ｆ／ｆ２＜２．０                                        （６）  
２．２＜（Ｒ３＋Ｒ４）／（Ｒ３−Ｒ４）＜２．８                  （７）  
ここで、
ｆは撮像レンズ全体の焦点距離であり、
ｆ２は第２レンズＬ２の焦点距離であり、
Ｒ３は第２レンズＬ２物体側面の曲率半径であり、  
Ｒ４は第２レンズＬ２像側面の曲率半径である。
【００１９】
条件式（６）は第２レンズＬ２の正屈折力を規定している。条件式（２）の下限を超えるときは、第２レンズＬ２の正屈折力が弱くなり、軸上及び軸外の色収差を補正しにくくなる。それに対して、条件式（２）の上限を超えるときは、第２レンズＬ２の正屈折力が強くなりすぎ、高次収差による第２レンズＬ２の軸上偏芯などの問題を生じる像面変動が大きくなり、撮像レンズの感度が高くなる。
条件式（７）は第２レンズＬ２の形状を規定している。条件式（７）の範囲外では、撮像レンズが広角及び極薄化への進展に伴い、軸上色収差を補正するのに、より不利である。
【００２０】
撮像レンズＬＡは、さらに以下の条件式（８）〜（９）を満たしていることが好ましい。
０．２＜ｄ３／ｆ＜０．５                                        （８）  
１．５＜ｄ３／ｄ５＜３．５                                      （９）  
ここで、
ｆは撮像レンズ全体の焦点距離であり、
ｄ３は第２レンズＬ２の中心厚みであり、
ｄ５は第３レンズＬ３の中心厚みである。
【００２１】
条件式（８）は第２レンズＬ２の中心厚みと撮像レンズの焦点距離との比を規定している。条件式（８）の範囲外では、撮像レンズの広角化及び極薄化に不利である。
条件式（９）は第２レンズＬ２と第３レンズＬ３の中心厚みとの比を規定している。条件式（９）の範囲内では、レンズの製作及び成形に役立ち、歩留まりを向上し、生産コストを低減することができる。なお、中心厚みが、厚すぎる又は薄すぎるレンズは、変形などの成形不良が生じやすい。
【００２２】
撮像レンズＬＡにおいて、第３レンズＬ３をプラスチック材質とすることにより、生産コストを低く、その物体側面及び像側面において少なくとも一つの変曲点を設置することができ、収差をさらに補正することができ、撮像品質を向上することができる。
【００２３】
撮像レンズＬＡは、さらに以下の条件式（１０）〜（１１）を満たしていることが好ましい。
１０＜ｄ２／ｄ４＜２０                                          （１０）
２．５＜Ｒ２／ｆ＜４．０                                        （１１）
ここで、
ｄ２は第１レンズＬ１の像側面から第２レンズＬ２の物体側面までの間の軸上距離であり、
ｄ４は第２レンズＬ２の像側面から第３レンズＬ３の物体側面までの間の軸上距離であり、
Ｒ２は第１レンズＬ１の像側面の曲率半径であり、  
ｆは撮像レンズ全体の焦点距離である。
【００２４】
条件式（１０）は、第１レンズＬ１の像側面から第２レンズＬ２の物体側面までの間の軸上距離と、第２レンズＬ２の像側面から第３レンズＬ３の物体側面までの間の軸上距離との比を規定している。条件式（１０）の範囲内では、レンズの組立に役立ち、歩留まりを向上し、生産コストを低減することができる。両レンズ間の軸上距離が大きすぎると、組立偏心が生じやすく、組立歩留まりを低下させる。一方、両レンズ間の軸上距離が小さすぎると、組立時に両レンズの相互干渉が生じやすく、撮像効果を低下させる。
条件式（１１）は、第１レンズＬ１の像側面の曲率半径と撮像レンズ全体の焦点距離との比を規定している。条件式（１１）の範囲内では、画角と全長とのバランスに有利であり、撮像レンズＬＡの画角を有効に拡大することができ、撮像レンズの光学全長を制限でき、小型化及び広角化の目標を達成することができる。
【００２５】
撮像レンズＬＡは、さらに以下の条件式（１２）を満たしていることが好ましい。
１．０＜ν１／ν２＜１．２                                      （１２）
ここで、
ν１は第１レンズＬ１のアッベ数であり、
ν２は第２レンズＬ２のアッベ数である。
【００２６】
条件式（１２）は、第１レンズＬ１と第２レンズＬ２のアッベ数との比を規定している。条件式（１２）の範囲内では、撮像レンズＬＡにおける色差の補正に比較的有利であり、撮像レンズの撮像品質を向上し、横方向の偏心に対する撮像レンズの感度を低下させ、生産コストを低下させることができる。上限条件式（１２）の下限を超えるときは、第２レンズＬ２のアッベ数が大きくなりすぎ、材料の価格が高くなり、生産コストの低減に不利である。それに対して、条件式（１２）の上限を超えるときは、第２レンズＬ２のアッベ数は小さくなりすぎ、分散が大きくなりすぎ、撮像レンズの撮像品質を向上するのに不利である。第２レンズＬ２のアッベ数ν２が大きすぎる又は小さすぎると、いずれも撮像素子の横方向の偏心及び傾斜に対する撮像レンズの感度を低下させるのに不利である。
【００２７】
撮像レンズＬＡを構成する３枚のレンズは、いずれも上述した構成を有し、且つ、全ての条件式を満たしているため、撮像レンズＬＡは優れた光学特徴及び高い生産性を有する。
【００２８】
以下、具体的実施例を用いて、本発明に係る撮像レンズＬＡについてさらに詳細に説明する。以下は各実施例に記述された符号である。また、距離、半径及び中心厚みの単位はｍｍである。
ｆはすべての撮像レンズＬＡの焦点距離であり、
ｆ１は第１レンズＬ１の焦点距離であり、
ｆ２は第２レンズＬ２の焦点距離であり、
ｆ３は第３レンズＬ３の焦点距離であり、
ＦｎｏはＦ数であり、
Ｓ１は絞りであり、  
Ｒは光学面の曲率半径であり、レンズの場合に、それは中心曲率半径であり、
Ｒ１は第１レンズＬ１の物体側面の曲率半径であり、  
Ｒ２は第１レンズＬ１の像側面の曲率半径であり、  
Ｒ３は第２レンズＬ２の物体側面の曲率半径であり、  
Ｒ４は第２レンズＬ２の像側面の曲率半径であり、
Ｒ５は第３レンズＬ３の物体側面の曲率半径であり、
Ｒ６は第３レンズＬ３の像側面の曲率半径であり、
Ｒ７はガラス平板ＧＦの物体側面の曲率半径であり、
Ｒ８はガラス平板ＧＦの像側面の曲率半径であり、  
ｄはレンズの中心厚みとレンズとの間の距離であり、
ｄ０は絞りＳ１から第１レンズＬ１の物体側面までの間の軸上距離であり、
ｄ１は第１レンズＬ１の中心厚みであり、
ｄ２は第１レンズＬ１の像側面から第２レンズＬ２の物体側面までの間の軸上距離であり、
ｄ３は第２レンズＬ２の中心厚みであり、
ｄ４は第２レンズＬ２の像側面から第３レンズＬ３の物体側面までの間の軸上距離であり、
ｄ５は第３レンズＬ３の中心厚みであり、
ｄ６は第３レンズＬ３の像側面からガラス平板ＧＦの物体側面までの間の軸上距離であり、
ｄ７はガラス平板ＧＦの中心厚みであり、
ｄ８はガラス平板ＧＦの像側面から像面までの間の軸上距離であり、
ｎｄはｄ線の屈折率であり、
ｎ１は第１レンズＬ１のｄ線の屈折率であり、
ｎ２は第２レンズＬ２のｄ線の屈折率であり、  
ｎ３は第３レンズＬ３のｄ線の屈折率であり、  
ｎ４はガラス平板ＧＦのｄ線の屈折率であり、  
νｄはアッベ数であり、
ν１は第１レンズＬ１のアッベ数であり、
ν２は第２レンズＬ２のアッベ数であり、
ν３は第３レンズＬ３のアッベ数であり、  
ν４はガラス平板ＧＦのアッベ数であり、
ＴＴＬは光学長（第１レンズＬ１の物体側面から像面までの間の軸上距離）であり、  
ＩＨは像高である。
【００２９】
ｙ＝（ｘ２／Ｒ）／（１＋（１−（ｋ＋１）（ｘ２／Ｒ２））１／２）  
＋Ａ４ｘ４＋Ａ６ｘ６＋Ａ８ｘ８＋Ａ１０ｘ１０＋Ａ１２ｘ１２＋Ａ１４ｘ１４
＋Ａ１６ｘ１６                                              （１３）
ここで、
Ｒは軸上の曲率半径であり、
ｋは円錐係数であり、
Ａ４、Ａ６、Ａ８、Ａ１０、Ａ１２、Ａ１４、Ａ１６は非球面係数である。
便宜上、各レンズ面の非球面は条件式（１３）に示された非球面を使用する。但し、このような非球面多項式の形式（１３）に限定されない。
【００３０】
（実施例１）
実施例１における撮像レンズＬＡの配置構成は、図１に示すものと同じである。表１は、実施例１において撮像レンズＬＡとなる第１レンズＬ１、第２レンズＬ２、第３レンズＬ３の物体側面及び像側面の曲率半径、レンズの中心厚みとレンズとの間の距離ｄ、屈折率ｎｄ、アッベ数νｄを示す。また、表２は、円錐係数ｋ、非球面係数を示す。また、下記の表２３は、実施例１〜１１の撮像レンズの諸数値及び上記条件式（１）〜（１２）に規定されたパラメータに対応する数値の一覧表である。
【表１】
0006027202.tif 000002
【表２】
0006027202.tif 000003
【００３１】
表２３に示すように、実施例１は条件式（１）〜（１２）を満たしている。図２は実施例１における撮像レンズＬＡのＭＴＦ図であり、図３は実施例１における撮像レンズＬＡの予測される製造歩留まりを示す図であり、図４〜６は実施例１における撮像レンズＬＡの球面収差（軸上色収差）、倍率色収差、像面湾曲及び歪みを示す図である。実施例１における撮像レンズＬＡのＦＮｏは２．１８であり、図２〜６からわかるように、優れた光学特徴及び高い生産性を有する。
【００３２】
（実施例２）
図７は実施例２における撮像レンズＬＡの配置構成を示す。表３は実施例１において撮像レンズＬＡとなる第１レンズＬ１、第２レンズＬ２、第３レンズＬ３の物体側面及び像側面の曲率半径、レンズの中心厚みとレンズとの間の距離ｄ、屈折率ｎｄ、アッベ数νｄを示す。また、表４は円錐係数ｋ、非球面係数を示す。
【表３】
0006027202.tif 000004
【表４】
0006027202.tif 000005
【００３３】
表２３に示すように、実施例２は条件式（１）〜（１２）を満たしている。図８は実施例２における撮像レンズＬＡのＭＴＦ図であり、図９は実施例２における撮像レンズＬＡの予測される製造歩留まりを示す図であり、図１０〜１２は実施例２における撮像レンズＬＡの球面収差（軸上色収差）、倍率色収差、像面湾曲及び歪みを示す図である。実施例２における撮像レンズＬＡのＦＮｏは２．２４であり、図８〜１２からわかるように、優れた光学特徴及び高い生産性を有する。
【００３４】
（実施例３）
図１３は、実施例３における撮像レンズＬＡの配置構成を示す。表５は、実施例３において撮像レンズＬＡとなる第１レンズＬ１、第２レンズＬ２、第３レンズＬ３の物体側面及び像側面の曲率半径、レンズの中心厚みとレンズとの間の距離ｄ、屈折率ｎｄ、アッベ数νｄを示す。また、表６は、円錐係数ｋ、非球面係数を示す。
【表５】
0006027202.tif 000006
【表６】
0006027202.tif 000007
【００３５】
表２３に示すように、実施例３は条件式（１）〜（１２）を満たしている。図１４は実施例３における撮像レンズＬＡのＭＴＦ図であり、図１５は実施例３における撮像レンズＬＡの予測される製造歩留まりを示す図であり、図１６〜１８は実施例３における撮像レンズＬＡの球面収差（軸上色収差）、倍率色収差、像面湾曲及び歪みを示す図である。実施例３における撮像レンズＬＡのＦＮｏは２．２８であり、図１４〜１８からわかるように、優れた光学特徴及び高い生産性を有する。
【００３６】
（実施例４）
図１９は、実施例４における撮像レンズＬＡの配置構成を示す。表７は、実施例４において撮像レンズＬＡとなる第１レンズＬ１、第２レンズＬ２、第３レンズＬ３の物体側面及び像側面の曲率半径、レンズの中心厚みとレンズとの間の距離ｄ、屈折率ｎｄ、アッベ数νｄを示す。また、表８は、円錐係数ｋ、非球面係数を示す。
【表７】
0006027202.tif 000008
【表８】
0006027202.tif 000009
【００３７】
表２３に示すように、実施例４は条件式（１）〜（１２）を満たしている。図２０は実施例４における撮像レンズＬＡのＭＴＦ図であり、図２１は実施例４における撮像レンズＬＡの予測される製造歩留まりを示す図であり、図２２〜２４は実施例４における撮像レンズＬＡの球面収差（軸上色収差）、倍率色収差、像面湾曲及び歪みを示す図である。実施例４における撮像レンズＬＡのＦＮｏは２．２７であり、図２０〜２４からわかるように、優れた光学特徴及び高い生産性を有する。
【００３８】
（実施例５）
図２５は、実施例５における撮像レンズＬＡの配置構成を示す。表９は、実施例５において撮像レンズＬＡとなる第１レンズＬ１、第２レンズＬ２、第３レンズＬ３の物体側面及び像側面の曲率半径、レンズの中心厚みとレンズとの間の距離ｄ、屈折率ｎｄ、アッベ数νｄを示す。また、表１０は、円錐係数ｋ、非球面係数を示す。
【表９】
0006027202.tif 000010
【表１０】
0006027202.tif 000011
【００３９】
表２３に示すように、実施例５は条件式（１）〜（１２）を満たしている。図２６は実施例５における撮像レンズＬＡのＭＴＦ図であり、図２７は実施例５における撮像レンズＬＡの予測される製造歩留まりを示す図であり、図２８〜３０は実施例５における撮像レンズＬＡの球面収差（軸上色収差）、倍率色収差、像面湾曲及び歪みを示す図である。実施例５における撮像レンズＬＡのＦＮｏは２．２７であり、図２６〜３０からわかるように、優れた光学特徴及び高い生産性を有する。
【００４０】
（実施例６）
図３１は、実施例６における撮像レンズＬＡの配置構成を示す。表１１は、実施例６において撮像レンズＬＡとなる第１レンズＬ１、第２レンズＬ２、第３レンズＬ３の物体側面及び像側面の曲率半径、レンズの中心厚みとレンズとの間の距離ｄ、屈折率ｎｄ、アッベ数νｄを示す。また、表１２は、円錐係数ｋ、非球面係数を示す。
【表１１】
0006027202.tif 000012
【表１２】
0006027202.tif 000013
【００４１】
表２３に示すように、実施例６は条件式（１）〜（１２）を満たしている。図３２は実施例６における撮像レンズＬＡのＭＴＦ図であり、図３３は実施例６における撮像レンズＬＡの予測される製造歩留まりを示す図であり、図３４〜３６は実施例６における撮像レンズＬＡの球面収差（軸上色収差）、倍率色収差、像面湾曲及び歪みを示す図である。実施例６における撮像レンズＬＡのＦＮｏは２．２５であり、図３２〜３６からわかるように、優れた光学特徴及び高い生産性を有する。
【００４２】
（実施例７）
図３７は、実施例７における撮像レンズＬＡの配置構成を示す。表１３は、実施例７において撮像レンズＬＡとなる第１レンズＬ１、第２レンズＬ２、第３レンズＬ３の物体側面及び像側面の曲率半径、レンズの中心厚みとレンズとの間の距離ｄ、屈折率ｎｄ、アッベ数νｄを示す。また、表１４は、円錐係数ｋ、非球面係数を示す。
【表１３】
0006027202.tif 000014
【表１４】
0006027202.tif 000015
【００４３】
表２３に示すように、実施例７は条件式（１）〜（１２）を満たしている。図３８は実施例７における撮像レンズＬＡのＭＴＦ図であり、図３９は実施例７における撮像レンズＬＡの予測される製造歩留まりを示す図であり、図４０〜４２は実施例７における撮像レンズＬＡの球面収差（軸上色収差）、倍率色収差、像面湾曲及び歪みを示す図である。実施例７における撮像レンズＬＡのＦＮｏは２．２３であり、図３８〜４２からわかるように、優れた光学特徴及び高い生産性を有する。
【００４４】
（実施例８）
図４３は、実施例８における撮像レンズＬＡの配置構成を示す。表１５は、実施例８において撮像レンズＬＡとなる第１レンズＬ１、第２レンズＬ２、第３レンズＬ３の物体側面及び像側面の曲率半径、レンズの中心厚みとレンズとの間の距離ｄ、屈折率ｎｄ、アッベ数νｄを示す。また、表１６は、円錐係数ｋ、非球面係数を示す。
【表１５】
0006027202.tif 000016
【表１６】
0006027202.tif 000017
【００４５】
表２３に示すように、実施例８は条件式（１）〜（１２）を満たしている。図４４は実施例８における撮像レンズＬＡのＭＴＦ図であり、図４５は実施例８における撮像レンズＬＡの予測される製造歩留まりを示す図であり、図４６〜４８は実施例８における撮像レンズＬＡの球面収差（軸上色収差）、倍率色収差、像面湾曲及び歪みを示す図である。実施例８における撮像レンズＬＡのＦＮｏは２．２８であり、図４４〜４８からわかるように、優れた光学特徴及び高い生産性を有する。
【００４６】
（実施例９）
図４９は、実施例９における撮像レンズＬＡの配置構成を示す。表１７は、実施例９において撮像レンズＬＡとなる第１レンズＬ１、第２レンズＬ２、第３レンズＬ３の物体側面及び像側面の曲率半径、レンズの中心厚みとレンズとの間の距離ｄ、屈折率ｎｄ、アッベ数νｄを示す。また、表１８は、円錐係数ｋ、非球面係数を示す。
【表１７】
0006027202.tif 000018
【表１８】
0006027202.tif 000019
【００４７】
表２３に示すように、実施例９は条件式（１）〜（１２）を満たしている。図５０は実施例９における撮像レンズＬＡのＭＴＦ図であり、図５１は実施例９における撮像レンズＬＡの予測される製造歩留まりを示す図であり、図５２〜５４は実施例９における撮像レンズＬＡの球面収差（軸上色収差）、倍率色収差、像面湾曲及び歪みを示す図である。実施例９における撮像レンズＬＡのＦＮｏは２．２２であり、図５０〜５４からわかるように、優れた光学特徴及び高い生産性を有する。
【００４８】
（実施例１０）
図５５は、実施例１０における撮像レンズＬＡの配置構成を示す。表１９は、実施例１０において撮像レンズＬＡとなる第１レンズＬ１、第２レンズＬ２、第３レンズＬ３の物体側面及び像側面の曲率半径、レンズの中心厚みとレンズとの間の距離ｄ、屈折率ｎｄ、アッベ数νｄを示す。また、表２０は、円錐係数ｋ、非球面係数を示す。
【表１９】
0006027202.tif 000020
【表２０】
0006027202.tif 000021
【００４９】
表２３に示すように、実施例１０は条件式（１）〜（１２）を満たしている。図５６は実施例１０における撮像レンズＬＡのＭＴＦ図であり、図５７は実施例１０における撮像レンズＬＡの予測される製造歩留まりを示す図であり、図５８〜６０は実施例１０における撮像レンズＬＡの球面収差（軸上色収差）、倍率色収差、像面湾曲及び歪みを示す図である。実施例１０における撮像レンズＬＡのＦＮｏは２．２２であり、図５６〜６０からわかるように、優れた光学特徴及び高い生産性を有する。
【００５０】
（実施例１１）
図６１は、実施例１１における撮像レンズＬＡの配置構成を示す。表２１は、実施例１１において撮像レンズＬＡとなる第１レンズＬ１、第２レンズＬ２、第３レンズＬ３の物体側面及び像側面の曲率半径、レンズの中心厚みとレンズとの間の距離ｄ、屈折率ｎｄ、アッベ数νｄを示す。また、表２２は、円錐係数ｋ、非球面係数を示す。
【表２１】
0006027202.tif 000022
【表２２】
0006027202.tif 000023
【００５１】
表２３に示すように、実施例１１は条件式（１）〜（１２）を満たしている。図６２は実施例１１における撮像レンズＬＡのＭＴＦ図であり、図６３は実施例１１における撮像レンズＬＡの予測される製造歩留まりを示す図であり、図６４〜６６は実施例１１における撮像レンズＬＡの球面収差（軸上色収差）、倍率色収差、像面湾曲及び歪みを示す図である。実施例１１における撮像レンズＬＡのＦＮｏは２．２２であり、図６２〜６６からわかるように、優れた光学特徴及び高い生産性を有する。
【００５２】
表２３は、上記実施例１〜１１の撮像レンズの諸数値及び上記条件式（１）〜（１２）に規定されたパラメータに対応する数値の一覧表にまとめたものであり、表２３における単位は、それぞれｆ（ｍｍ）、ｆ１（ｍｍ）、ｆ２（ｍｍ）、ｆ３（ｍｍ）、ＴＴＬ（ｍｍ）、ＩＨ（ｍｍ）である。
【表２３】
0006027202.tif 000024
【００５３】
本発明の保護範囲は上述した実施形態に限定されるものではなく、当業者であれば、本発明に開示された内容に基づき実現しうる等価な修正又は変更は、全て本発明の保護範囲内に含まれることが理解されるであろう。
【要約】      （修正有）【課題】３枚のレンズで構成され、撮像素子の横方向の偏り及び傾斜に対して感度が低い撮像レンズを提供する。【解決手段】物体側から像側まで順に正屈折力を有する第１のレンズＬ１、絞りＳ１、正屈折力を有する第２のレンズＬ２、負屈折力を有する第３のレンズＬ３が配置された撮像レンズであって、以下の条件式を満足する。０．６＜ｆ／ｆ１＜１．０、−１．６＜（Ｒ１＋Ｒ２）／（Ｒ１−Ｒ２）＜−１．２、０．１５＜ｄ１／ｆ＜０．２、−１．５＜ｆ／ｆ３＜−１、１．３＜（Ｒ５＋Ｒ６）／（Ｒ５−Ｒ６）＜２．１、ここで、ｆは撮像レンズの焦点距離、ｆ１は第１のレンズの焦点距離、Ｒ１は第１のレンズの物体側面の曲率半径、Ｒ２は第１のレンズの像側面の曲率半径、ｄ１は第１のレンズの中心厚み、ｆ３は第３のレンズの焦点距離、Ｒ５は第３のレンズの物体側面の曲率半径、Ｒ６は第３のレンズの像側面の曲率半径である。【選択図】図１【図１】
0006027202.tif 000025
【図２】
0006027202.tif 000026
【図３】
0006027202.tif 000027
【図４】
0006027202.tif 000028
【図５】
0006027202.tif 000029
【図６】
0006027202.tif 000030
【図７】
0006027202.tif 000031
【図８】
0006027202.tif 000032
【図９】
0006027202.tif 000033
【図１０】
0006027202.tif 000034
【図１１】
0006027202.tif 000035
【図１２】
0006027202.tif 000036
【図１３】
0006027202.tif 000037
【図１４】
0006027202.tif 000038
【図１５】
0006027202.tif 000039
【図１６】
0006027202.tif 000040
【図１７】
0006027202.tif 000041
【図１８】
0006027202.tif 000042
【図１９】
0006027202.tif 000043
【図２０】
0006027202.tif 000044
【図２１】
0006027202.tif 000045
【図２２】
0006027202.tif 000046
【図２３】
0006027202.tif 000047
【図２４】
0006027202.tif 000048
【図２５】
0006027202.tif 000049
【図２６】
0006027202.tif 000050
【図２７】
0006027202.tif 000051
【図２８】
0006027202.tif 000052
【図２９】
0006027202.tif 000053
【図３０】
0006027202.tif 000054
【図３１】
0006027202.tif 000055
【図３２】
0006027202.tif 000056
【図３３】
0006027202.tif 000057
【図３４】
0006027202.tif 000058
【図３５】
0006027202.tif 000059
【図３６】
0006027202.tif 000060
【図３７】
0006027202.tif 000061
【図３８】
0006027202.tif 000062
【図３９】
0006027202.tif 000063
【図４０】
0006027202.tif 000064
【図４１】
0006027202.tif 000065
【図４２】
0006027202.tif 000066
【図４３】
0006027202.tif 000067
【図４４】
0006027202.tif 000068
【図４５】
0006027202.tif 000069
【図４６】
0006027202.tif 000070
【図４７】
0006027202.tif 000071
【図４８】
0006027202.tif 000072
【図４９】
0006027202.tif 000073
【図５０】
0006027202.tif 000074
【図５１】
0006027202.tif 000075
【図５２】
0006027202.tif 000076
【図５３】
0006027202.tif 000077
【図５４】
0006027202.tif 000078
【図５５】
0006027202.tif 000079
【図５６】
0006027202.tif 000080
【図５７】
0006027202.tif 000081
【図５８】
0006027202.tif 000082
【図５９】
0006027202.tif 000083
【図６０】
0006027202.tif 000084
【図６１】
0006027202.tif 000085
【図６２】
0006027202.tif 000086
【図６３】
0006027202.tif 000087
【図６４】
0006027202.tif 000088
【図６５】
0006027202.tif 000089
【図６６】
0006027202.tif 000090